(57)【特許請求の範囲】
【請求項１】
テーブルとベンチの機能を併せ持つテーブル・座席ユニット（１）であって、
底脚部（２ａ）と、該底脚部（２ａ）の前後方向（Ｙ）の両側から略垂直方向（Ｚ）に延びて夫々、異なる高さｈ１、ｈ２（ただし、ｈ１＞ｈ２）を有する一対の第１垂直脚部（２ｂ）及び第２垂直脚部（２ｃ）と、該各垂直脚部（２ｂ、２ｃ）の異なる高さ（ｈ１、ｈ２）位置から夫々水平な前後方向（Ｙ）に延び且つ少なくとも左右方向（Ｘ）の片側に係合部（２ｆ）を有する一対の高位水平支持脚部（２ｄ）及び低位水平支持脚部（２ｅ）と、を具備する一対の略コ字形の支持脚部材（２Ａ、２Ｂ）と、
前記一対の略コ字形の支持脚部材（２Ａ、２Ｂ）間で、前記各高位水平支持脚部（２ｄ、２ｄ）の各係合部（２ｆ、２ｆ）に係合して支持されるテーブル部材（４）と、
前記一対の略コ字形の支持脚部材（２Ａ、２Ｂ）間で、前記各低位水平支持脚部（２ｅ、２ｅ）の各係合部（２ｆ、２ｆ）に係合して支持される座席部材（５）と、を備え、
前記一対の支持脚部材（２Ａ、２Ｂ）の各係合部（２ｆ）は、前記高位又は低位水平支持脚部（２ｄ、２ｅ）の各下部から一つの水平方向に突出して伸びる係合板部（７）と、該高位又は低位水平支持脚部（２ｄ、２ｅ）の各上部から前記一つの水平方向に突出する係合凸部（９）と、前記係合板部（７）及び係合凸部（９）間に相対的に形成された係合凹部（８）とが一体的に形成され、前記テーブル部材（４）及び座席部材（５）の各両端部が夫々前記各係合凹部（８）に係合され、
前記係合凸部（９）の突出長さは、係合板部（７）の突出長さより小さい、ことを特徴とするテーブル・座席ユニット。
【請求項２】
請求項１に記載のテーブル・座席ユニット（１）であって、
前記テーブル部材（４）及び座席部材（５）は夫々、水平面内でそれ自体真直方向に延び、且つ前記一対の略コ字形の支持脚部材（２Ａ、２Ｂ）の各延在面（Ｅ）に対して直交する方向に延びていることを特徴とするテーブル・座席ユニット。
【請求項３】
請求項１に記載のテーブル・座席ユニット（１）であって、
前記テーブル部材（４）及び座席部材（５）は夫々、水平面内でそれ自体真直方向に延び、且つ前記一対の略コ字形の支持脚部材（２Ａ、２Ｂ）の各延在面（Ｅ）に対して直角以外の所定の交差角度（α）を形成して交わるように構成されていることを特徴とするテーブル・座席ユニット。
【請求項４】
請求項１に記載のテーブル・座席ユニット（１）であって、
前記テーブル部材（４）及び座席部材（５）は夫々、水平面内で湾曲して延びるように構成されていることを特徴とするテーブル・座席ユニット。
【請求項５】
テーブルとベンチの機能を併せ持つテーブル・座席ユニット（１）を複数組み合わせることによって構成されるテーブル・座席ユニットの組立体（Ａ）であって、      
底脚部（２ａ）と、該底脚部（２ａ）の前後方向（Ｙ）の両側から略垂直方向（Ｚ）に延びて夫々、異なる高さｈ１、ｈ２（ただし、ｈ１＞ｈ２）を有する一対の第１垂直脚部（２ｂ）及び第２垂直脚部（２ｃ）と、該各垂直脚部（２ｂ、２ｃ）の異なる高さ（ｈ１、ｈ２）位置から夫々水平な前後方向（Ｙ）に延び且つ少なくとも左右方向（Ｘ）の片側に係合部（２ｆ）を有する一対の高位水平支持脚部（２ｄ）及び低位水平支持脚部（２ｅ）と、を具備する少なくとも三つの略コ字形の支持脚部材（２Ａ、２Ｂ、２Ｃ）と、
前記少なくとも三つの支持脚部材（２Ａ、２Ｂ、２Ｃ）のうち、隣接する前記一対の略コ字形の支持脚部材（２Ａ、２Ｂ）、（２Ａ、２Ｃ）又は（２Ｃ、２Ｂ）間で、前記各高位水平支持脚部（２ｄ、２ｄ）の各係合部（２ｆ、２ｆ）に係合して支持されるテーブル部材（４）と、
前記少なくとも三つの支持脚部材（２Ａ、２Ｂ、２Ｃ）のうち、隣接する前記一対の略コ字形の支持脚部材（２Ａ、２Ｂ）、（２Ａ、２Ｃ）又は（２Ｃ、２Ｂ）の間で、前記各低位水平支持脚部（２ｅ、２ｅ）の各係合部（２ｆ、２ｆ）に係合して支持される座席部材（５）と、を備え、
このうち、中間に位置する中間支持脚部材（２Ｃ）は、その前記高位水平支持脚部（２ｄ）及び低位水平支持脚部（２ｅ）の左右方向（Ｘ）の両側に夫々前記テーブル部材（４）及び座席部材（５）と係合する係合部（２ｆ、２ｆ）を有し、
前記一対の支持脚部材（２Ａ、２Ｂ）の各係合部（２ｆ）は、前記高位又は低位水平支持脚部（２ｄ、２ｅ）の各下部から一つの水平方向に突出して伸びる係合板部（７）と、該高位又は低位水平支持脚部（２ｄ、２ｅ）の各上部から前記一つの水平方向に突出する係合凸部（９）と、前記係合板部（７）及び係合凸部（９）間に相対的に形成された係合凹部（８）とが一体的に形成され、前記テーブル部材（４）及び座席部材（５）の各一端部が夫々前記各係合凹部（８）に係合され、
前記中間支持脚部材（２Ｃ）の各係合部（２ｆ）は、前記高位又は低位水平支持脚部（２ｄ、２ｅ）の各下部から両側の水平方向に突出して伸びる一対の係合板部（７）と、該高位又は低位水平支持脚部（２ｄ、２ｅ）の各上部から前記両側の水平方向に突出する一対の係合凸部（９）と、前記各係合板部（７）及び係合凸部（９）間に相対的に形成された一対の係合凹部（８）とが一体的に形成され、前記テーブル部材（４）及び座席部材（５）の各他端部が夫々前記各係合凹部（８）に係合され、
前記係合凸部（９）の突出長さは、係合板部（７）の突出長さより小さい、
ことを特徴とするテーブル・座席ユニットの組立体。
【請求項６】
請求項５に記載のテーブル・座席ユニットの組立体（Ａ）であって、
前記、テーブル部材（４）及び座席部材（５）は夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直交する方向に延びており、
複数の前記テーブル・座席ユニット（１）を順次接続することにより組立体（Ａ）全体が真直方向に直線的に伸長されて配置されていることを特徴とするテーブル・座席ユニットの組立体。
【請求項７】
請求項５に記載のテーブル・座席ユニットの組立体（Ａ）であって、
前記テーブル部材（４）及び座席部材（５）は夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直角以外の所定の交差角度（α）を形成して交わるように構成されており、
複数の前記テーブル・座席ユニット（１）を順次接続することにより組立体（Ａ）全体が多角形又は多角形の一部あるいはジグザグ状に形成されていることを特徴とするテーブル・座席ユニットの組立体。
【請求項８】
請求項５に記載のテーブル・座席ユニットの組立体（Ａ）であって、
前記テーブル部材（４）及び座席部材（５）は夫々、水平面内で湾曲して延びており、
複数の前記テーブル・座席ユニット（１）が順次接続されることにより組立体（Ａ）全体が円形又は円形の一部あるいは波形に形成されていることを特徴とするテーブル・座席ユニットの組立体。
【請求項９】
請求項５に記載のテーブル・座席ユニットの組立体（Ａ）であって、
前記複数のテーブル・座席ユニット（１）は、前記テーブル部材（４）及び座席部材（５）が夫々水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直交する方向に延びたものと、
前記テーブル部材（４）及び座席部材（５）が夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直角以外の所定の交差角度（α）を形成して交わるようにしたものと、
前記テーブル部材（４）及び座席部材（５）が夫々、水平面内で湾曲して延びたものと、の一部又は全部のテーブル・座席ユニット（１）の組み合わせによって構成されており、
複数の前記テーブル・座席ユニット（１）が順次接続されることにより、組立体（Ａ）全体が任意の方向に長い多角形や長円形あるいは伸長方向の長さが違う屈曲形状や屈曲形状と湾曲形状が組み合わさった形状に形成されることを特徴とするテーブル・座席ユニットの組立体。
【請求項１０】
テーブルとベンチの機能を併せ持つテーブル・座席ユニット（１）と、ベンチの機能を有する座席ユニット（１１）と、を複数組み合わせることによって構成されるテーブル・座席ユニットの組立体（Ａ）であって、
前記テーブル・座席ユニット（１）は、底脚部（２ａ）と、該底脚部（２ａ）の前後方向（Ｙ）の両側から略垂直方向（Ｚ）に延びて夫々、異なる高さｈ１、ｈ２（ただし、ｈ１＞ｈ２）を有する一対の第１垂直脚部（２ｂ）及び第２垂直脚部（２ｃ）と、該垂直脚部（２ｂ、２ｃ）の異なる高さ（ｈ１、ｈ２）位置から夫々水平な前後方向（Ｙ）に延び且つ少なくとも左右方向（Ｘ）の片側に係合部（２ｆ）を有する一対の高位水平支持脚部（２ｄ）及び低位水平支持脚部（２ｅ）と、を具備する少なくとも二つの略コ字形の支持脚部材（２Ａ、２Ｂ）と、前記少なくとも二つの支持脚部材（２Ａ、２Ｂ）のうち、隣接する前記一対の略コ字形の支持脚部材（２Ａ、２Ｂ）間で、前記各高位水平支持脚部（２ｄ、２ｄ）の各係合部（２ｆ、２ｆ）に係合して支持されるテーブル部材（４）と、前記少なくとも二つの支持脚部材（２Ａ、２Ｂ）のうち、隣接する前記一対の略コ字形の支持脚部材（２Ａ、２Ｂ）間で、前記各低位水平支持脚部（２ｅ、２ｅ）の各係合部（２ｆ、２ｆ）に係合して支持される座席部材（５）と、を備えており、
前記座席ユニット（１１）は、底脚部（１２ａ）と、該底脚部（１２ａ）の前後方向（Ｙ）の両側から略垂直方向（Ｚ）に延びて夫々、等しい高さｈ２を有する一対の第１垂直脚部（１２ｂ）及び第２垂直脚部（１２ｃ）と、少なくとも該第２垂直脚部（１２ｃ）の高さ（ｈ２）位置から水平に前後方向（Ｙ）の後方に延び且つ少なくとも左右方向（Ｘ）の片側に係合部（１２ｆ）を有する水平支持脚部（１２ｅ）と、を具備する少なくとも一つの矩形又は略コ字形の支持脚部材（１２Ａ）と、前記テーブル・座席ユニット（１）の支持脚部材（２Ａ）又は支持脚部材（２Ｂ）との間で、前記水平支持脚部（１２ｅ）の係合部（１２ｆ）と前記テーブル・座席ユニット（１）の低位水平支持脚部（２ｅ）の係合部（２ｆ）とに係合して支持される座席部材（１５）と、を備える、ことを特徴とするテーブル・座席ユニットの組立体。
【請求項１１】
請求項１０に記載のテーブル・座席ユニットの組立体（Ａ）であって、
前記支持脚部材（１２Ａ）の係合部（２ｆ）は、前記水平支持脚部（１２ｅ）の下部から一つの水平方向に突出して伸びる係合板部（７）と、該水平支持脚部（１２ｅ）の上部から前記一つの水平方向に突出する係合凸部（９）と、前記係合板部（７）及び係合凸部（９）間に相対的に形成された係合凹部（８）とが一体的に形成され、前記座席部材（５）の一端部が前記係合凹部（８）に係合される、ことを特徴とするテーブル・座席ユニットの組立体。
【発明の詳細な説明】
【技術分野】
【０００１】
本発明は、公園や集合住宅のコミュニケーションスペース等に設置するテーブルベンチ等と呼ばれているテーブル・座席ユニットに係り、特に組み合わせが自由で種々のレイアウトに対応できる拡張性の高いテーブル・座席ユニット及びその組立体に関するものである。
【背景技術】
【０００２】
公園や集合住宅のコミュニケーションスペース、ビルのエントランス、歩道等には種々の形のベンチが配置されている。このようなベンチの役割は大きく変化してきており、従来は下記の特許文献１に示すように単に休息のために腰掛けるだけのベンチが、近年では図３２〜図３４あるいは下記の特許文献２に示すように読書や仕事若しくは遊びの場、食事や会話をする交流の場として利用することができるテーブル付きのベンチも登場している。
【０００３】
このうち、図３２に示すテーブルベンチ１０１は、一人用の椅子１０２に背もたれ１０３と一体のテーブル面１０４を設けたものである。そして、図３２では利用者Ｍが背もたれ１０３側を向いて反対方向に座って、テーブル面１０４上で読書等を行っている様子を図示している。図３３に示すテーブルベンチ２０１は、直線的にレイアウトされた長いテーブル２０４の左右に、ブロック状の椅子２０２を適宜の間隔を空けて複数配置したものである。そして、この図３３では、複数の人Ｍがテーブル２０４を挟んで対面した状態で椅子２０２に座り、食事をしながら会話をしている様子を図示している。
【０００４】
また、図３４に示すテーブルベンチ３０１は、テーブル３０４をサークル状に囲んで配置し、その周りに複数の椅子３０２を並べたものである。そして、この図３４では複数の人Ｍが各々仕事や遊び、会話等の場として利用している様子を図示している。
【先行技術文献】
【特許文献】
【０００５】
【特許文献１】特開２００９-１０６３９４号公報
【特許文献２】実開平０５−０３４９３５号公報
【発明の概要】
【発明が解決しようとする課題】
【０００６】
しかし、上記図３２に示すテーブルベンチ１０１は、利用者は一人ずつに限られ、複数の人の交流の場としての利用はできない。また、図３３に示すテーブルベンチ２０１は、テーブル２０４の配置が直線的で固定されており、レイアウトの自由度がない。また、椅子２０２は一人用のものを適宜の間隔を空けて並べただけであるので椅子２０２の管理が面倒であり、盗難や紛失のおそれもある。更に、図３４に示すテーブルベンチ３０１は、テーブル３０４と椅子３０２が独立しているため、特に椅子３０２の位置がばらばらになり易く、椅子３０２の管理が面倒であり、盗難や紛失のおそれもある。また、テーブル３０４は重量のあるタイプであるので、テーブル３０４の移動が難しく、レイアウトの自由度に欠ける。  
【０００７】
従って、本発明は従来のテーブルベンチが抱えているこのような問題点を解決すべく、管理が容易で盗難や紛失のおそれが少なく、組み合わせが自由で種々のレイアウトに対応できる拡張性とデザイン性に優れたテーブル・座席ユニット及びその組立体を提供することを目的とする。      
【課題を解決するための手段】
【０００８】
本発明のテーブル・座席ユニット（１）は、テーブルとベンチの機能を併せ持つテーブル・座席ユニット（１）であって、底脚部（２ａ）と、該底脚部（２ａ）の前後方向（Ｙ）の両側から略垂直方向（Ｚ）に延びて夫々、異なる高さｈ１、ｈ２（ただし、ｈ１＞ｈ２）を有する一対の第１垂直脚部（２ｂ）及び第２垂直脚部（２ｃ）と、該各垂直脚部（２ｂ、２ｃ）の異なる高さ（ｈ１、ｈ２）位置から夫々水平方向（Ｙ）に延び且つ少なくとも左右方向（Ｘ）の片側に係合部（２ｆ）を有する一対の高位水平支持脚部（２ｄ）及び低位水平支持脚部（２ｅ）と、を具備する一対の略コ字形の支持脚部材（２Ａ、２Ｂ）と、前記一対の略コ字形の支持脚部材（２Ａ、２Ｂ）間で、前記各高位水平支持脚部（２ｄ、２ｄ）の各係合部（２ｆ、２ｆ）に係合して支持されるテーブル部材（４）と、前記一対の略コ字形の支持脚部材（２Ａ、２Ｂ）間で、前記各低位水平支持脚部（２ｅ、２ｅ）の各係合部（２ｆ、２ｆ）に係合して支持される座席部材（５）と、を備えている。
【０００９】
また、前記テーブル部材（４）及び座席部材（５）は夫々、水平面内でそれ自体真直方向に延び、且つ前記一対の略コ字形の支持脚部材（２Ａ、２Ｂ）の各延在面（Ｅ）に対して直交する方向に延びていてもよい。
【００１０】
また、前記テーブル部材（４）及び座席部材（５）は夫々、水平面内でそれ自体真直方向に延び、且つ前記一対の略コ字形の支持脚部材（２Ａ、２Ｂ）の各延在面（Ｅ）に対して直角以外の所定の交差角度（α）を形成して交わるように構成されていてもよい。
【００１１】
また、前記テーブル部材（４）及び座席部材（５）は夫々、水平面内で湾曲して延びるように構成されていてもよい。
【００１２】
また、本発明のテーブル・座席ユニットの組立体（Ａ）は、テーブルとベンチの機能を併せ持つテーブル・座席ユニット（１）を複数組み合わせることによって構成されるテーブル・座席ユニットの組立体（Ａ）であって、底脚部（２ａ）と、該底脚部（２ａ）の前後方向（Ｙ）の両側から略垂直方向（Ｚ）に延びて夫々、異なる高さｈ１、ｈ２（ただし、ｈ１＞ｈ２）を有する一対の第１垂直脚部（２ｂ）及び第２垂直脚部（２ｃ）と、該各垂直脚部（２ｂ、２ｃ）の異なる高さ（ｈ１、ｈ２）位置から夫々水平な前後方向（Ｙ）に延び且つ少なくとも左右方向（Ｘ）の片側に係合部（２ｆ）を有する一対の高位水平支持脚部（２ｄ）及び低位水平支持脚部（２ｅ）と、を具備する少なくとも三つの略コ字形の支持脚部材（２Ａ、２Ｂ、２Ｃ）と、前記少なくとも三つの支持脚部材（２Ａ、２Ｂ、２Ｃ）のうち、隣接する前記一対の略コ字形の支持脚部材（２Ａ、２Ｂ）、（２Ａ、２Ｃ）又は（２Ｃ、２Ｂ）間で、前記各高位水平支持脚部（２ｄ、２ｄ）の各係合部（２ｆ、２ｆ）に係合して支持されるテーブル部材（４）と、前記少なくとも三つの支持脚部材（２Ａ、２Ｂ、２Ｃ）のうち、隣接する前記一対の略コ字形の支持脚部材（２Ａ、２Ｂ）、（２Ａ、２Ｃ）又は（２Ｃ、２Ｂ）間で、前記各低位水平支持脚部（２ｅ、２ｅ）の各係合部（２ｆ、２ｆ）に係合して支持される座席部材（５）と、を備え、このうち、中間に位置する中間支持脚部材（２Ｃ）は、その前記高位水平支持脚部（２ｄ）及び低位水平支持脚部（２ｅ）の左右方向（Ｘ）の両側に夫々前記テーブル部材（４）及び座席部材（５）と係合する係合部（２ｆ、２ｆ）を有している。
【００１３】
また、前記、テーブル部材（４）及び座席部材（５）は夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直交する方向に延びており、複数の前記テーブル・座席ユニット（１）を順次接続することにより組立体（Ａ）全体が真直方向に直線的に伸長されて配置されていてもよい。  
また、前記テーブル部材（４）及び座席部材（５）は夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直角以外の所定の交差角度（α）を形成して交わるように構成されており、複数の前記テーブル・座席ユニット（１）を順次接続することにより組立体（Ａ）全体が多角形又は多角形の一部あるいはジグザグ状に形成されていてもよい。  
また、前記テーブル部材（４）及び座席部材（５）は夫々、水平面内で湾曲して延びており、複数の前記テーブル・座席ユニット（１）が順次接続されることにより組立体（Ａ）全体が円形又は円形の一部あるいは波形に形成されていてもよい。
また、前記複数のテーブル・座席ユニット（１）は、前記テーブル部材（４）及び座席部材（５）が夫々水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直交する方向に延びたものと、前記テーブル部材（４）及び座席部材（５）が夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直角以外の所定の交差角度（α）を形成して交わるようにしたものと、前記テーブル部材（４）及び座席部材（５）が夫々、水平面内で湾曲して延びたものと、の一部又は全部のテーブル・座席ユニット（１）の組み合わせによって構成されており、複数の前記テーブル・座席ユニット（１）が順次接続されることにより、組立体（Ａ）全体が任意の方向に長い多角形や長円形あるいは伸長方向の長さが違う屈曲形状や屈曲形状と湾曲形状が組み合わさった形状に形成されていてもよい。
【００１４】
また、本発明のテーブル・座席ユニットの組立体（Ａ）は、テーブルとベンチの機能を併せ持つテーブル・座席ユニット（１）と、ベンチの機能を有する座席ユニット（１１）と、を複数組み合わせることによって構成されるテーブル・座席ユニットの組立体（Ａ）であって、前記テーブル・座席ユニット（１）は、底脚部（２ａ）と、該底脚部（２ａ）の前後方向（Ｙ）の両側から略垂直方向（Ｚ）に延びて夫々、異なる高さｈ１、ｈ２（ただし、ｈ１＞ｈ２）を有する一対の第１垂直脚部（２ｂ）及び第２垂直脚部（２ｃ）と、該垂直脚部（２ｂ、２ｃ）の異なる高さ（ｈ１、ｈ２）位置から夫々水平な前後方向（Ｙ）に延び且つ少なくとも左右方向（Ｘ）の片側に係合部（２ｆ）を有する一対の高位水平支持脚部（２ｄ）及び低位水平支持脚部（２ｅ）と、を具備する少なくとも二つの略コ字形の支持脚部材（２Ａ、２Ｂ）と、前記少なくとも二つの支持脚部材（２Ａ、２Ｂ）のうち、隣接する前記一対の略コ字形の支持脚部材（２Ａ、２Ｂ）間で、前記各高位水平支持脚部（２ｄ、２ｄ）の各係合部（２ｆ、２ｆ）に係合して支持されるテーブル部材（４）と、前記少なくとも二つの支持脚部材（２Ａ、２Ｂ）のうち、隣接する前記一対の略コ字形の支持脚部材（２Ａ、２Ｂ）間で、前記各低位水平支持脚部（２ｅ、２ｅ）の各係合部（２ｆ、２ｆ）に係合して支持される座席部材（５）と、を備えており、前記座席ユニット（１１）は、底脚部（１２ａ）と、該底脚部（１２ａ）の前後方向（Ｙ）の両側から略垂直方向（Ｚ）に延びて夫々、等しい高さｈ２を有する一対の第１垂直脚部（１２ｂ）及び第２垂直脚部（１２ｃ）と、少なくとも該第２垂直脚部（１２ｃ）の高さ（ｈ２）位置から水平に前後方向（Ｙ）の後方に延び且つ少なくとも左右方向（Ｘ）の片側に係合部（１２ｆ）を有する水平支持脚部（１２ｅ）と、を具備する少なくとも一つの矩形又は略コ字形の支持脚部材（１２Ａ）と、前記テーブル・座席ユニット（１）の支持脚部材（２Ａ）又は支持脚部材（２Ｂ）との間で、前記水平支持脚部（１２ｅ）の係合部（１２ｆ）と前記テーブル・座席ユニット（１）の低位水平支持脚部（２ｅ）の係合部（２ｆ）とに係合して支持される座席部材（１５）と、を備えていてもよい。
【発明の効果】
【００１５】
（１）本発明のテーブル・座席ユニット（１）によれば次に示す効果がある。  
【００１６】
先ず、テーブル・座席ユニット（１）はテーブル部材（４）と座席部材（５）を一対の略コ字形の支持脚部材（２Ａ、２Ｂ）によって水平に支持するシンプル且つ軽量な構成が採用されているから、テーブル・座席ユニット（１）の移動が容易で種々のレイアウトに対応できる。また、このテーブル・座席ユニット（１）はテーブル部材（４）と座席部材（５）が一体になった構造であるから、テーブル・座席ユニット（１）の盗難や紛失のおそれが少ない。また、一対の高位水平支持脚部（２ｄ）及び低位水平支持脚部（２ｅ）の少なくとも左右方向（Ｘ）の片側には係合部（２ｆ）が設けられているから、この係合部（２ｆ）を利用して複数のテーブル・座席ユニット（１）を左右方向（Ｘ）に簡単に連結することができる。  
【００１７】
また、テーブル部材（４）及び座席部材（５）を夫々、水平面内でそれ自体真直方向に延びるように構成し、且つ前記一対の略コ字形の支持脚部材（２Ａ、２Ｂ）の各延在面（Ｅ）に対して直交する方向に延びるように構成した場合には、複数のテーブル・座席ユニット（１）を直線的に連結した左右方向（Ｘ）に長いテーブル・座席ユニット（１）のレイアウトが可能になる。  
【００１８】
また、テーブル部材（４）及び座席部材（５）を夫々、水平面内でそれ自体真直方向に延びるように構成し、且つ前記一対の略コ字形の支持脚部材（２Ａ、２Ｂ）の各延在面（Ｅ）（図２６、２７）に対して直角以外の所定の交差角度（α）（図２６、２７）を形成して交わるように構成した場合には、複数のテーブル・座席ユニット（１）を屈曲状態で連結した折れ曲がったレイアウトや多角形のサークルベンチとして機能するレイアウトが可能になる。  
【００１９】
また、テーブル部材（４）及び座席部材（５）を夫々、水平面内で湾曲して延びるように構成した場合には、複数のテーブル・座席ユニット（１）を曲線的に連結した湾曲したレイアウトや円形のサークルベンチとして機能するレイアウトが可能になる。
【００２０】
（２）また、本発明のテーブル・座席ユニットの組立体（Ａ）によれば次に示す効果が
ある。
【００２１】
即ち、このテーブル・座席ユニットの組立体（Ａ）は前記構成の略コ字形の支持脚部材（２Ａ、２Ｂ、２Ｃ）を少なくとも三つ有し、これら三つの支持脚部材（２Ａ、２Ｂ、２Ｃ）を利用して左右方向（Ｘ）に二枚以上のテーブル部材（４）と座席部材（５）を連結することが可能になっている。そして、このうち中間に位置する中間支持脚部材（２Ｃ）については高位水平支持脚部（２ｄ）及び低位水平支持脚部（２ｅ）の左右方向（Ｘ）の両側に係合部（２ｆ、２ｆ）を有する構成が採用されている。従って、前記構成のテーブル・座席ユニット（１）を左右方向（Ｘ）に単に並べてレイアウトする場合に比べて支持脚部材（２Ａ、２Ｂ、２Ｃ）の数を少なくすることができ、部品点数の削減を通じてテーブル・座席ユニットの組立体（Ａ）の設置コストを低く抑えることが可能になる。  
【００２２】
また、テーブル部材（４）及び座席部材（５）を夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）の各延在面（Ｅ）に対して直交する方向に延びるように構成し、複数のテーブル・座席ユニット（１）を順次接続することにより組立体（Ａ）全体が真直方向に直線的に伸長されて配置されるように構成した場合には、複数のテーブル・座席ユニット（１）を直線的に連結した左右方向（Ｘ）に長いテーブル・座席ユニットの組立体（Ａ）を安価に提供することが可能になる。  
【００２３】
また、テーブル部材（４）及び座席部材（５）を夫々、水平面内でそれ自体真直方向に延び、且つ隣接する前記一対の略コ字形の支持脚部材（２Ａ、２Ｂ）、（２Ａ、２Ｃ）又は（２Ｃ、２Ｂ）に各延在面（Ｅ）に対して直角以外の所定の交差角度（α）を形成して交わるように構成し、複数のテーブル・座席ユニット（１）を順次接続することにより組立体（Ａ）全体が多角形又は多角形の一部あるいはジグザグ状になるように構成した場合には、複数のテーブル・座席ユニット（１）を屈曲状態で連結した折れ曲がったレイアウトや多角形のサークルベンチとして機能するレイアウトのテーブル・座席ユニットの組立体（Ａ）を安価に提供することが可能になる。  
【００２４】
また、テーブル部材（４）及び座席部材（５）を夫々、水平面内で湾曲して延びるように構成し、複数のテーブル・座席ユニット（１）を順次接続することにより組立体（Ａ）全体が円形又は円形の一部あるいは波形に形成した場合には、複数のテーブル・座席ユニット（１）を曲線的に連結した湾曲したレイアウトや円形のサークルベンチとして機能するレイアウトのテーブル・座席ユニットの組立体（Ａ）を安価に提供することが可能になる。  
【００２５】
また、前記複数のテーブル・座席ユニット（１）をテーブル部材（４）及び座席部材（５）が夫々、水平面内でそれ自体真直方向に延び、且つ隣接する支持脚部材（２Ａ、２Ｂ）、（２Ａ、２Ｃ）又は（２Ｃ、２Ｂ）の各延在面（Ｅ）に対して直交する方向に延びたものと、テーブル部材（４）及び座席部材（５）が夫々、水平面内でそれ自体垂直方向に延び、且つ隣接する支持脚部材（２Ａ、２Ｂ）、（２Ａ，２Ｃ）又は（２Ｃ、２Ｂ）の各延在面（Ｅ）に対して直角以外の所定の交差角度（α）を形成して交わるようにしたものと、テーブル部材（４）及び座席部材（５）が夫々、水平面内で湾曲して延びたものと、の一部又はすべての組み合わせによって構成し、複数のテーブル・座席ユニット（１）を順次接続することにより組立体（Ａ）全体が任意の方向に長い多角形や長円形あるいは伸長方向の長さの違う屈曲形状や屈曲形状と湾曲形状が組み合わさった形状に形成した場合には、形状の違う複数のテーブル・座席ユニット（１）を組み合わせ、たより複雑なレイアウトや従来にない新しいレイアウトのテーブル・座席ユニットの組立体（Ａ）を安価に提供することが可能になる。
【００２６】
また、テーブルとベンチの機能を併せ持つテーブル・座席ユニット（１）と、ベンチの機能を有する座席ユニット（１１）と、を複数組み合わせることによってテーブル・座席ユニットの組立体（Ａ）を構成した場合には、更に複雑で趣の違うレイアウトや従来にない新しいレイアウトのテーブル・座席ユニットの組立体（Ａ）を安価に提供することが可能になる。
【図面の簡単な説明】
【００２７】
【図１】図１は、本発明の第１の実施形態に係るテーブル・座席ユニットの組立体を示す斜視図である。
【図２】図２は、本発明の第１の実施形態に係るテーブル・座席ユニットの組立体を示す分解斜視図である。
【図３】図３は、本発明の第１の実施形態に係るテーブル・座席ユニットの組立体を示す平面図である。
【図４】図４は、本発明の第１の実施形態に係るテーブル・座席ユニットの組立体を示す正面図である。
【図５】図５は、本発明の第１の実施形態に係るテーブル・座席ユニットの組立体を示す右側面図である。
【図６】図６は、本発明の第１の実施形態に係るテーブル・座席ユニットの組立体を示す図３中のＡ―Ａ断面図である。
【図７】図７は、本発明の第１の実施形態に係るテーブル・座席ユニットの組立体を示す図３中のＢ−Ｂ断面図である。
【図８】図８は、本発明の第１の実施形態に係るテーブル・座席ユニットの組立体における第１端部支持脚部材を示す右側面図である。
【図９】図９は、本発明の第１の実施形態に係るテーブル・座席ユニットの組立体における第１端部支持脚部材を示す平面図である。
【図１０】図１０は、本発明の第１の実施形態に係るテーブル・座席ユニットの組立体における第１端部支持脚部材を示す正面図である。
【図１１】図１１は、本発明の第１の実施形態に係るテーブル・座席ユニットの組立体における第１端部支持脚部材を示す図８中のＣ−Ｃ断面図である。
【図１２】図１２は、本発明の第１の実施形態に係るテーブル・座席ユニットの組立体における中間支持脚部材を示す右側面図である。
【図１３】図１３は、本発明の第１の実施形態に係るテーブル・座席ユニットの組立体における中間支持脚部材を示す背面図である。
【図１４】図１４は、本発明の第１の実施形態に係るテーブル・座席ユニットの組立体における中間支持脚部材を示す平面図である。
【図１５】図１５は、本発明の第１の実施形態に係るテーブル・座席ユニットの組立体における中間支持脚部材を示す図１２中のＤ−Ｄ断面図である。
【図１６】図１６は、本発明の第１の実施形態に係るテーブル・座席ユニットの組立体における座席板を示す底面図である。
【図１７】図１７は、本発明の第１の実施形態に係るテーブル・座席ユニットの組立体における座席板を示す右側面図である。
【図１８】図１８は、本発明の第１の実施形態に係るテーブル・座席ユニットの組立体におけるテーブル板を示す底面図である。
【図１９】図１９は、本発明の第１の実施形態に係るテーブル・座席ユニットの組立体におけるテーブル板を示す右側面図である。
【図２０】図２０は、本発明の第２の実施形態に係るテーブル・座席ユニットを示す斜視図である。
【図２１】図２１は、本発明の第２の実施形態に係るテーブル・座席ユニットを示す分解斜視図である。
【図２２】図２２は、本発明の第３の実施形態に係るテーブル・座席ユニットを示す斜視図である。
【図２３】図２３は、本発明の第４の実施形態に係るテーブル・座席ユニットの組立体を示す斜視図である。
【図２４】図２４は、本発明の第５の実施形態に係るテーブル・座席ユニットの組立体を示す斜視図である。
【図２５】図２５は、本発明の第６の実施形態に係るテーブル・座席ユニットの組立体を示す斜視図である。
【図２６】図２６は、本発明の第７の実施形態に係るテーブル・座席ユニットの組立体を示す斜視図である。
【図２７】図２７は、本発明の第８の実施形態に係るテーブル・座席ユニットの組立体を示す斜視図である。
【図２８】図２８は、本発明の第９の実施形態に係るテーブル・座席ユニットの組立体の２種類の態様（ａ）（ｂ）を示す平面図である。
【図２９】図２９は、本発明の第１０の実施形態に係るテーブル・座席ユニットの組立体の２種類の態様（ａ）（ｂ）を示す平面図である。
【図３０】図３０は、本発明の第１１の実施形態に係るテーブル・座席ユニットの組立体を示す斜視図である。
【図３１】図３１は、本発明の第１２の実施形態に係るテーブル・座席ユニットの組立体を示す斜視図である。
【図３２】図３２は、従来のテーブル・座席ユニットを示す斜視図である。
【図３３】図３３は、従来のテーブル・座席ユニットの組立体を示す斜視図である。
【図３４】図３４は、従来の他のテーブル・座席ユニットの組立体を示す斜視図である。
【発明を実施するための形態】
【００２８】
以下、本発明に係るテーブル・座席ユニット１及びその組立体Ａを図１乃至図１９に示す第１の実施の形態と、図２０及び図２１に示す第２の実施形態と、図２２に示す第３の実施形態と、図２３に示す第４の実施形態と、図２４に示す第５の実施形態と、図２５に示す第６の実施形態と、図２６に示す第７の実施形態と、図２７に示す第８の実施形態と、図２８に示す第９の実施形態と、図２９に示す第１０の実施形態と、図３０に示す第１１の実施形態と、図３１に示す第１２の実施形態の１２個の実施形態を例にとって具体的に説明する。  
尚、以下の説明では図１乃至図１９に示す第１の実施形態に基づいて本発明のテーブル・座席ユニット１及びその組立体Ａの構成とその作用について具体的に説明し、図２０乃至図３１に示す第２の実施形態から第１２の実施形態については、前記第１の実施形態との差異の構成とその作用を中心に説明する。最初に二つの基本的構成について説明する。
［第１の基本的構成］
テーブル・座席ユニットの基本的構成（図２０、２１参照）
本発明のテーブル・座席ユニットの組立体Ａは、テーブルとベンチの機能を併せ持つ本発明のテーブル・座席ユニット１を複数組み合わせせることによって構成されている。  
【００２９】
そして、本発明の第１の基本的構成であるテーブル・座席ユニット１は、図２０及び２１中、底脚部２ａと、該底脚部２ａの前後方向Ｙの両側から略垂直方向Ｚに延びて夫々、異なる高さｈ１、ｈ２（ただし、ｈ１＞ｈ２）を有する一対の第１垂直脚部２ｂ及び第２垂直脚部２ｃと、該各垂直脚部２ｂ、２ｃの異なる高さｈ１、ｈ２の位置から夫々、水平な前後方向Ｙに延び且つ少なくとも左右方向Ｘの片側に係合部２ｆを有する一対の高位水平支持脚部２ｄ及び低位水平支持脚部２ｅと、を具備する一対の略コ字形の支持脚部材２Ａ、２Ｂと、前記一対の略コ字形の支持脚部材２Ａ、２Ｂ間で、前記各高位水平支持脚部２ｄ、２ｄの各係合部２ｆ、２ｆに係合して支持されるテーブル板４と、前記一対の略コ字形の支持脚部材２Ａ、２Ｂ間で、前記各低位水平支持脚部材２ｅ、２ｅの各係合部２ｆ、２ｆに係合して支持される座席板５と、を備えることによって基本的に構成されている。
［第２の基本的構成］
テーブル・座席ユニットの組立体の基本的構成（図１乃至図１９参照）
本発明の第２の基本的構成であるテーブル・座席ユニットの組立体Ａは、図１及び図２中、底脚部２ａと、該底脚部２ａの前後方向Ｙの両側から略垂直方向Ｚに延びて夫々、異なる高さｈ１、ｈ２（ただしｈ１＞ｈ２）を有する一対の第１垂直脚部２ｂ及び第２垂直脚部２ｃと、該垂直脚部２ｂ、２ｃの異なる高さｈ１、ｈ２の位置から夫々、水平な前後方向Ｙに延び且つ少なくとも左右方向Ｘの片側に係合部２ｆを有する一対の高位水平支持脚部２ｄ及び低位水平支持脚部２ｅと、を具備する少なくとも三つの略コ字形の支持脚部材２Ａ、２Ｂ、２Ｃと、前記少なくとも三つの支持脚部材２Ａ，２Ｂ、２Ｃのうち、隣接する前記一対の略コ字形の支持脚部材２Ａ、２Ｃ又は２Ｃ、２Ｂの間で、前記高位水平支持脚部２ｄ、２ｄの各係合部２ｆ、２ｆに係合して支持させるテーブル板４と、前記少なくとも三つの支持脚部材２Ａ、２Ｂ、２Ｃのうち、隣接する前記一対の略コ字形の支持脚部材２Ａ、２Ｃ又は２Ｃ、２Ｂ間で、前記各低位水平支持脚部２ｅ、２ｅの各係合部２ｆ、２ｆに係合して支持される座席板５と、を備えることによって基本的に構成されている。
【００３０】
そして、このうち中間に位置する中間支持脚部材２Ｃは、その前記高位水平支持脚部２ｄ及び低位水平支持脚部２ｅの左右方向Ｘの両側に夫々、前記テーブル板４及び座席板５と係合する係合部２ｆ、２ｆを有するように構成されている。
次に、説明の便宜上、まず本発明の第２の基本的構成であるテーブル・座席ユニットの組立体Ａ（図１乃至図１９）［第１の実施形態］を説明して、次いで第１の基本的構成であるテーブル・座席ユニット１（図２０及び２１）［第２の実施形態］について説明する。
［第１の実施形態］
（１）テーブル・座席ユニットの組立体の具体的構成（図１乃至図１９参照）
本実施形態のテーブル・座席ユニットの組立体Ａ１は、図１乃至図３に示す如く、テーブル板４及び座席板５が夫々、水平面内で湾曲して延びるように構成されているテーブル・座席ユニット１Ａを二つ左右方向Ｘに接続することによって構成されている。  
【００３１】
支持脚部材２は、向って左端側に位置する第１端部支持脚部材２Ａと、向って右端側に位置する第２端部支持脚部材２Ｂと、これらの中間に位置する中間支持脚部材２Ｃと、の三つの支持脚部材２によって構成されている。
【００３２】
支持脚部材２は、図８及び図１２に示すように一例として断面が矩形状の金属製平板材料を図示のように略コ字形状に折り曲げることによって形成されている。支持脚部材２の底部には、地面ＧＬに接地する前後方向Ｙに延びる底脚部２ａが設けられており、その後端には、幾分前方に向けて傾いた状態で略垂直方向Ｚに延びる高さｈ１の第１垂直脚部２ｂが設けられている。  
【００３３】
また、底脚部２ａの前端には、幾分後方に向けて傾いた状態で略垂直方向Ｚに延びる高さｈ２の第２垂直脚部２ｃが設けられている。尚、第１垂直脚部２ｂの高さｈ１は、利用者Ｍがテーブル・座席ユニット１の座席板５に座ったときのテーブル板４の設置高さを規定しており、第２垂直脚部２ｃの高さｈ２は利用者Ｍが腰掛ける座席板５の設置高さを規定している。従って、第１垂直脚部２ｂの高さｈ１の方が第２垂直脚部２ｃの高さｈ２よりも高くなっている。（ｈ１＞ｈ２）
更に前記第１垂直脚部２ｂの上端には、前方に向けて水平に延びる高位水平支持脚部２ｄが設けられている。一方、前記第２垂直脚部２ｃの上端には、後方に向けて水平に延びる低位水平支持脚部２ｅが設けられている。尚、図示の実施の形態では後述するテーブル板４と座席板５の夫々の奥行寸法に関係して高位水平支持脚部２ｄの長さよりも低位水平支持脚部２ｅの長さの方が幾分長めに形成されている。  
【００３４】
そして、前記高位水平支持脚部２ｄと低位水平支持脚部２ｅには、テーブル板４と座席板５を取り付けるための係合部２ｆが夫々設けられている。係合部２ｆは、図１に示す如く、テーブル板４ないし座席板５の夫々の端部を受け入れる係合凹部８と、テーブル板４ないし座席板５の夫々の端部寄りの下面を支持する庇状に張り出した係合板部７と、テーブル板４ないし座席板５の夫々の端部寄りの上縁を支持する係合凸部９と、を備えることによって構成されている。
【００３５】
また、前記係合部２ｆは向って左端側に位置する第１端部支持脚部材２Ａについては、図１１に示す如く、内方の右側面側のみに設けられており、向って右端側に位置する第２端部支持脚部材２Ｂについては内方の左側面側のみに設けられている。これに対し、これらの中間に位置する中間支持脚部材２Ｃについては、図１５に示すように右側面側と左側面側の両方に係合部２ｆは設けられている。  
【００３６】
また、前記係合部２ｆの係合板部７には、後述するテーブル板４と座席板５を固定する場合に使用する取付け穴１０が必要な個数形成されている。
【００３７】
テーブル板４は、図１８及び１９に示す如く、一例として金属製の湾曲した角パイプ材によって構成される３本の板要素２１を、一例として７ｍｍ程度の隙間Ｔを空けて、すの子状に配列したテーブル板本体２２と、該テーブル板本体２２の左右両端部の端面と下面を支持して前記３本の板要素２１を一体に連結する二枚の端部補強板２３、２３と、前記テーブル板本体２２の中間の下面を支持して前記３本の板要素２１を一体に連結する一枚の中間補強板２４と、を備えることによって構成されている。  
【００３８】
そして、上記端部補強板２３、２３には、前述した支持脚部材２Ａ、２Ｂ、２Ｃの高位水平支持脚部２ｄに設けられている係合部２ｆの係合板部７に形成されている取付け穴１０に対応する位置に、対応する個数のネジ穴２５が刻設されている。尚、このネジ穴２５には、前記取付け穴１０側から挿入される図示しない取付けネジの雄ネジ部が螺合しながら挿入されて締め付けられ固定される。  
【００３９】
また、本実施形態ではテーブル板４の両端面の角度θ（図３及び１８）が一例として４５度に設定されており、該角度θのテーブル板４を二枚連結して使用することで、組合せ角度θ１がθ×２＝９０度で、一枚のテーブル板４の２倍の長さのテーブルとして機能するように構成されている。
【００４０】
座席板５は、図１６及び１７に示す如く、一例として金属製の湾曲した角パイプ材によって構成される４本の板要素３１を、一例として７ｍｍ程度の隙間Ｔを空けて、すの子状に配列した座席板本体３２と、該座席板本体３２の左右両端部の端面と下面を支持して前記４本の板要素３１を一体に連結する二枚の端部補強板３３、３３と、前記座席板本体３２の中間の下面を支持して前記４本の板要素３１を一体に連結する一枚の中間補強板３４と、を備えることによって構成されている。  
【００４１】
そして、上記端部補強板３３、３３には、前述した支持脚部材２Ａ、２Ｂ、２Ｃの低位水平支持脚部２ｅに設けられている係合部２ｆの係合板部７に形成されている取付け穴１０に対応する位置に、対応する個数の係合ピン３５が下方に突出するように設けられている。尚、この係合ピン３５は、前記取付け穴１０に挿入されことで前記支持脚部材２Ａ、２Ｂ、２Ｃに係合され、座席板５の水平面方向の移動と下方への移動が規制されるようになっている。
【００４２】
また、本実施形態では座席板５の両端面の角度θが前記テーブル板４と同様、図３及び１６に示す如く、一例として４５度に設定されており、該角度θの座席板５を二枚使用することで、組合せ角度θ１がθ×２＝９０度で、一枚の座席板５の２倍の長さのベンチとして機能するように構成されている。  
【００４３】
また、図１に示す実施形態では、両側支持脚部材２Ａ及び２Ｂ間に、一つの中間支持脚部材２Ｃを設けるのみであるが、三つ以上のテーブル・座席ユニット１Ａを二つ以上の中間支持脚部材２Ｃにより連結接続するようにしてもよい。これについては、以下中間支持脚部材２Ｃを設ける他の実施形態についても同様である。
【００４４】
また、テーブル板４及び座席板５は板状のものに限らず、何れか一方又は両方が、断面が円形、楕円形又は矩形等の一本のパイプ等であっても良く、これについては、以下の他の実施形態についても同様である。
【００４５】
（２）テーブル・座席ユニットの組立体の作用（図１及び図２参照）
本実施形態のテーブル・座席ユニットの組立体Ａ１によれば、略コ字形の支持脚部材２Ａ、２Ｂ、２Ｃを三つ使用して左右方向Ｘに二枚のテーブル板４と座席板５を連結することが可能になっている。そして、このうち中間に位置する中間支持脚部材２Ｃについては高位水平支持脚部２ｄ及び低位水平支持脚部２ｅの左右方向Ｘの両側に係合部２ｆ、２ｆを有する構成が採用されている。従って、前記構成のテーブル・座席ユニット１を左右方向Ｘに単に並べてレイアウトする場合に比べて支持脚部材の数を少なくすることができ、部品点数の削減を通じてテーブル・座席ユニットの組立体Ａ１の設置コストを低く抑えることが可能になる。  
【００４６】
また、本実施形態では二つのテーブル・座席ユニット１、１を曲線的に連結した湾曲したレイアウトの美観に優れるテーブル・座席ユニットの組立体Ａ１を安価に提供することが可能になる。また、二枚のテーブル板４と二枚の座席板５を三つの略コ字形の支持脚部材２Ａ、２Ｂ、２Ｃによって水平に支持するシンプル且つ軽量な構成が採用されているから、テーブル・座席ユニットの組立体Ａ１の移動が容易にできる。また、本実施形態のテーブル・座席ユニットの組立体Ａ１は二枚のテーブル板４と、一枚の座席板５が三つの支持脚部材２Ａ、２Ｂ、２Ｃと共に一体になった構造が採用されているから、テーブル・座席ユニットの組立体Ａ１の盗難や紛失のおそれは極めて少ない。
［第２の実施形態］
（１）テーブル・座席ユニットの構成（図２０及び図２１参照）
本実施形態のテーブル・座席ユニット１Ａは、前記第１の実施形態のテーブル・座席ユニットの組立体Ａ１で述べたテーブル板４と座席板５をそれぞれ一枚ずつ備え、前記第１の実施形態で備えていた中間支持脚部材２Ｃを省略して第１端部支持脚部材２Ａと第２端部支持脚部材２Ｂのみを備えた構成のテーブル・座席ユニットである。  
【００４７】
従って、テーブル板４と座席板５と二枚の支持脚部材２Ａ、２Ｂの構成は前述した第１の実施形態で述べたものと同様であるので、ここでの詳細な説明は省略する。
【００４８】
（２）テーブル・座席ユニットの作用（図２０及び図２１参照）
本実施形態のテーブル・座席ユニット１Ａによれば、テーブル板４が一枚と、座席板５が一枚と、一対の略コ字形の支持脚部材２Ａ、２Ｂ、とによって構成されるシンプル且つ軽量な構成が採用されているから、テーブル・座席ユニット１Ａの移動が容易で種々のレイアウトに対応できるようになる。また、このテーブル・座席ユニット１Ａは、テーブル板４と座席板５と一対の支持脚部材２Ａ、２Ｂが一体になった構造であるから、テーブル・座席ユニット１Ａの盗難や紛失のおそれが少ない。  
【００４９】
また、湾曲したテーブル板４と湾曲した座席板５を備えた曲線的なデザインのテーブル・座席ユニット１Ａであるから美観も優れている。 
［第３の実施形態］
（１）テーブル・座席ユニットの構成（図２２参照）
本実施形態のテーブル・座席ユニット１Ｃは、前記第２の実施形態で採用した湾曲した曲線的なデザインのテーブル板４と座席板５を、直線的なデザインのテーブル板４Ｃと座席板５Ｃに変更した実施形態である。即ち、本実施形態では、テーブル板４Ｃ及び座席板５Ｃは夫々、水平面内でそれ自体真直方向に延び、且つ前記一対の略コ字形の支持脚部材２Ａ、２Ｂの各延在面Ｅに対して直交する方向に直線的に延びるように構成されている。
【００５０】
具体的には、テーブル板本体２２を構成する３本の板要素２１を、一例として金属製の直管状の角パイプ材によって構成し、座席板本体３２を構成する４本の板要素３１を、同じく一例として金属製の直管状の角パイプ材によって構成している。
【００５１】
尚、テーブル板本体２２と座席板本体３２以外のテーブル板４Ｃと座席板５Ｃの他の構成と、一対の支持脚部材２Ａ、２Ｂの構成は前述した第１の実施形態又は第２の実施形態で述べたものと同様であるので、ここでの詳細な説明は省略する。
(２)テーブル・座席ユニットの作用（図２２参照）
本実施形態のテーブル・座席ユニット１Ｃによっても、前述した第１の実施形態又は第２の実施形態で述べたものと同様の作用・効果が発揮でき、更に本実施形態にあっては、最もシンプルな直線的で汎用性のあるデザインのテーブル・座席ユニット１Ｃを提供できるようになる。
［第４の実施形態］
(１)テーブル・座席ユニットの組立体の構成（図２３参照）
本実施形態のテーブル・座席ユニットの組立体Ａ４は、前記第３の実施形態で述べた直線的なデザインのテーブル板４Ｃと座席板５Ｃを有するテーブル・座席ユニット１Ｃを左右方向Ｘに直線的に二つ接続した構成のテーブル・座席ユニットの組立体Ａである。
【００５２】
従って、テーブル板本体２２と座席板本体３２については前記第３の実施形態で述べたものと同様であり、該テーブル板本体２２と、座席板本体３２以外のテーブル板４Ｃと座席板５Ｃの他の構成と、三つの支持脚部材２Ａ、２Ｂ、２Ｃの構成は前述した第１の実施形態又は第２の実施形態で述べたものと同様であるので、ここでの詳細な説明は省略する。
【００５３】
（２）テーブル・座席ユニットの組立体の作用（図２３参照）
本実施形態のテーブル・座席ユニットの組立体Ａ４によっても、前述した第１の実施の形態又は第３の実施の形態で述べたものと同様の作用、効果が発揮でき、更に本実施の形態にあっては、左右方向Ｘに直線的に延びる左右方向Ｘに長いテーブル・座席ユニットの組立体Ａ４を安価に提供することが可能になる。
［第５の実施形態］
（１）テーブル・座席ユニットの組立体の構成（図２４参照）
本実施形態のテーブル・座席ユニットの組立体Ａ５は、前記第１の実施形態で二つ接続したテーブル・座席ユニット１（図１）を更に二つ接続し、計四つのテーブル・座席ユニット１を連結した平面視半円形のテーブル・座席ユニットの組立体Ａである。そして、本実施の形態では、４枚のテーブル板４と、４枚の座席板５と、両端部に設けられる一対の端部支持脚部材２Ａ、２Ｂと、三つの中間支持脚部材２Ｃと、を備えることによって１８０度円弧状のテーブル・座席ユニットの組立体Ａ５が構成されている。  
【００５４】
尚、テーブル板４、座席板５、両端の一対の支持脚部材２Ａ、２Ｂ及び中間に三つ設けられる中間支持脚部材２Ｃの個別の構成については、前述した第１の実施の形態で述べたものと同様であるので、ここでの詳細な説明は省略する。
（２）テーブル・座席ユニットの組立体の作用（図２４参照）
本実施の形態のテーブル・座席ユニットの組立体Ａ５によっても、前述した第１の実施の形態で述べたものと同様の作用、効果が発揮でき、更に本実施形態にあっては、左右方向Ｘに曲線的に延びる平面視半円形ないしアーチ型の収容人数の多いテーブル・座席ユニットの組立体Ａ５を安価に提供することが可能になる。
［第６の実施形態］
（１）テーブル・座席ユニットの組立体の構成（図２５参照）
本実施形態のテーブル・座席ユニットの組立体Ａ６は、前記第５の実施形態で四つ接続したテーブル・座席ユニット１を更に四つ接続し、計八つのテーブル・座席ユニット１を連結した平面視円形のテーブル・座席ユニットの組立体Ａである。そして、本実施形態では８枚のテーブル板４と、８枚の座席板５と、八つの中間支持脚部材２Ｃと、を備えることによって３６０度円弧状のテーブル・座席ユニットの組立体Ａ６が構成されている。
【００５５】
従って、本実施形態では前記第１の実施形態及び第５の実施形態において設けられていた両端の一対の端部支持脚部材２Ａ、２Ｂは存在しない。尚、テーブル板４、座席板５、八つ設けられる中間支持脚部材２Ｃの個別の構成については、前述した第１の実施形態で述べたものと同様であるので、ここでの詳細な説明は省略する。
【００５６】
（２）テーブル・座席ユニットの組立体の作用（図２５参照）
本実施形態のテーブル・座席ユニットの組立体Ａ６によっても、前述した第１の実施形態と第５の実施形態で述べたものと同様の作用、効果が発揮でき、更に本実施形態にあっては、円周方向に曲線的に延びる平面視円形のサークルベンチとして機能する収容人数が更に多いテーブル・座席ユニットの組立体Ａ６を安価に提供することが可能になる。
［第７の実施形態］
（１）テーブル・座席ユニットの組立体の構成（図２６参照）
本実施形態のテーブル・座席ユニットの組立体Ａ７は、テーブル板４Ｇ及び座席板５Ｇが夫々、水平面内でそれ自体真直方向に延び、且つ隣接する一対の略コ字形の支持脚部材２の各延在面Ｅに対して直角以外の所定の交差角度α（図２６）を形成して交わるように構成されている。そして、図示の実施形態では、すべての交差角度αが６７．５度に設定された平面視八角形を半分にした、組合せ角度θ１が１８０度のアーチ形状のテーブル・座席ユニットの組立体Ａ７が描かれている。  
【００５７】
これに伴い、本実施の形態では、左右方向Ｘの両端面の角度θが該方向Ｘに対して４５度になるように端面が斜めにカットされたテーブル板４Ｇと座席板５Ｇがそれぞれ４枚ずつ設けられており、これらを両端部に設けられる一対の端部支持脚部材２Ａ、２Ｂと、三つの中間支持脚部材２Ｃで支えるようになっている。  
【００５８】
尚、その他の構成については、前述した第１の実施形態及び第５の実施形態で述べたものと同様であるので、ここでの詳細な説明は省略する。
（２）テーブル・座席ユニットの組立体の作用（図２６参照）
本実施形態のテーブル・座席ユニットの組立体Ａ７によっても前述した第１の実施形態と第５の実施形態で述べたものと同様の作用、効果が発揮でき、更に本実施形態にあっては、左右方向Ｘに屈曲状態で延びる平面視八角形を半分にした、組合せ角度θ１が１８０度のアーチ形状の収容人数の多いテーブル・座席ユニットの組立体Ａ７を安価に提供することが可能になる。
［第８の実施形態］
（１）テーブル・座席ユニットの組立体の構成（図２７参照）
本実施形態のテーブル・座席ユニットの組立体Ａ８は、前記第７の実施形態で四つ接続したテーブル・座席ユニット１Ｇを更に四つ接続し、計八つのテーブル・座席ユニット１Ｇを連結した平面視八角形のテーブル・座席ユニットの組立体Ａである。そして、本実施形態では８枚のテーブル板４Ｇと、８枚の座席板５Ｇと、八つの中間支持脚部材２Ｃと、を備えることによって組合せ角度が３６０度のテーブル・座席ユニットの組立体Ａ７が構成されている。  
【００５９】
従って、本実施形態では前記第１の実施形態及び第７の実施形態において設けられていた両端の一対の端部支持脚部材２Ａ、２Ｂは存在しない。尚、その他の構成については、前述した第１の実施形態と第７の実施形態で述べたものと同様であるので、ここでの詳細な説明は省略する。
【００６０】
（２）テーブル・座席ユニットの組立体の作用（図２７参照）
本実施形態のテーブル・座席ユニットの組立体Ａ８によっても、前述した第１の実施形態と第７の実施形態で述べたものと同様の作用、効果が発揮でき、更に本実施形態にあっては、周方向に屈曲して延びる平面視八角形のサークルベンチとして機能する収容人数が更に多いテーブル・座席ユニットの組立体Ａ８を安価に提供することが可能になる。
［第９の実施形態］
（１）テーブル・座席ユニットの組立体の構成（図２８参照）
本実施形態のテーブル・座席ユニットの組立体Ａ９は、前記第１の実施形態で述べたテーブル・座席ユニット１Ａ（図１）と、前記第３の実施形態で述べたテーブル・座席ユニット１Ｃ（図２３）と、を組み合わせた構成のテーブル・座席ユニットの組立体Ａである。そして、図２８（ａ）では、テーブル・座席ユニット１Ａを八つとテーブル・座席ユニット１Ｃを四つ接続した平面視長円形のテーブル・座席ユニットの組立体Ａ９が図示されており、図２８（ｂ）では、テーブル・座席ユニット１Ａを四つとテーブル・座席ユニット１Ｃを二つ接続した曲線部と直線部が組み合わされたレイアウトのテーブル・座席ユニットの組立体Ａ９が図示されている。
【００６１】
尚、その他の構成については、既に述べたものと同様であるので、ここでの詳細な説明は省略する。
（２）テーブル・座席ユニットの組立体の作用（図２８参照）
本実施の形態のテーブル・座席ユニットの組立体Ａ９によっても、前述した第１〜第８の各実施形態で述べたものと同様の作用・効果が発揮でき、更に本実施形態にあっては、更に複雑で斬新なレイアウトを有し、収容人数を更に多くすることのできるテーブル・座席ユニットの組立体Ａ９を安価に提供することが可能になる。
［第１０の実施形態］
（１）テーブル・座席ユニットの組立体の構成（図２９参照）
本実施形態のテーブル・座席ユニットの組立体Ａ１０は、前記第３の実施形態で述べたテーブル・座席ユニット１Ｃ（図２３）と、前記第７の実施形態で述べたテーブル・座席ユニット１Ｇ（図２６）と、を組み合わせた構成のテーブル・座席ユニットの組立体Ａである。そして、図２９（ａ）では、テーブル・座席ユニット１Ｃを四つとテーブル・座席ユニット１Ｇを八つ接続した一方向に長い平面視八角形状をしたテーブル・座席ユニットの組立体Ａ１０が図示されており、図２９（ｂ）では、テーブル・座席ユニット１Ｃを二つとテーブル・座席ユニット１Ｇを四つ接続した屈曲したレイアウトのテーブル・座席ユニットの組立体Ａ１０が図示されている。
【００６２】
尚、テーブル・座席ユニット１Ｃ及びテーブル・座席ユニット１Ｇの個別の構成については、既に述べたものと同様であるので、ここでの詳細な説明は省略する。
（２）テーブル・座席ユニットの組立体の作用（図２９参照）
本実施形態のテーブル・座席ユニットの組立体Ａ１０によっても、前述した第１〜第８の各実施形態で述べたものと同様の作用、効果が発揮でき、更に本実施形態にあっては、更に複雑で斬新なレイアウトを有し、収容人数を更に多くすることのできるテーブル・座席ユニットの組立体Ａ１０を安価に提供することが可能になる。
［第１１の実施形態］
（１）テーブル・座席ユニットの組立体の構成（図３０参照）
本実施形態のテーブル・座席ユニットの組立体Ａ１１は、前記第３の実施形態で述べたテーブル・座席ユニット１Ｃ（図２２）と、該テーブル・座席ユニット１Ｃからテーブル板４Ｃを取り除いた座席ユニット１１Ｃと、を組み合わせた構成のテーブル・座席ユニットの組立体Ａ１１である。  
【００６３】
このテーブル・座席ユニットの組立体Ａ１１に適用できる座席ユニット１１Ｃとしては、底脚部１２ａと、該底脚部１２ａの前後方向Ｙの両側から略垂直方向Ｚに延びて夫々、等しい高さｈ２を有する一対の第１垂直脚部１２ｂ及び第２垂直脚部１２ｃと、少なくとも該第２垂直脚部１２ｃの高さのｈ２の位置から水平に前後方向Ｙの後方に延び且つ少なくとも左右方向Ｘの片側に係合部１２ｆを有する水平支持脚部１２ｅと、を具備する一つの矩形又は略コ字形の支持脚部材１２Ａと、前記一つの支持脚部材１２Ａと隣接する前記テーブル・座席ユニット１Ｃの支持脚部材２Ａ又は支持脚部材２Ｂとの間で、前記水平支持脚部１２ｅの係合部１２ｆと前記テーブル・座席ユニット１Ｃの低位水平支持脚部２ｅの係合部２ｆとに係合して支持される座席板１５Ｃと、を備える構成の座席ユニット１１Ｃが一例として適用できる。
【００６４】
また、座席ユニット１１Ｃの図３０中の右側に更に座席ユニット１１Ｃを接続しても良いし、又は座席ユニット１Ｃを接続するようにしても良い。
【００６５】
尚、テーブル・座席ユニット１Ｃの個別の構成については、既に述べたものと同様であるので、ここでの詳細な説明は省略する。
（２）テーブル・座席ユニットの組立体の作用（図３０参照）
本実施形態のテーブル・座席ユニットの組立体Ａ１１にも前述した第３の実施形態のテーブル・座席ユニット１Ｃ（図２２）が備えられているから、前述した第１の実施形態と第３の実施形態で述べたものと同様の作用、効果が発揮される。更に本実施形態にあっては、趣の違う更に複雑で斬新なレイアウトのテーブル・座席ユニットの組立体Ａ１１を安価に提供することが可能になる。
［第１２の実施形態］
（１）テーブル・座席ユニットの組立体の構成（図３１参照）
本実施形態のテーブル・座席ユニットの組立体Ａ１２は、前記第１の実施形態で述べたテーブル・座席ユニットの組立体Ａ１（図１）を二組と、該テーブル・座席ユニット１からテーブル板４を取り除いた座席ユニット１１を二つと、を波形に組み合わせた構成のテーブル・座席ユニットの組立体Ａ１２である。  
【００６６】
このテーブル・座席ユニットの組立体Ａ１２は、湾曲したテーブル板４と座席板５を有するテーブル・座席ユニット１を左右方向Ｘに二つ接続したものを二組、左右方向Ｘの両端に配置し、これら二組のテーブル・座席ユニットの組立体Ａ１、Ａ１の間に湾曲した座席板１５を有する座席ユニット１１を左右方向Ｘに二つ接続したものを前後逆向きにして連結することによって構成されている。
【００６７】
尚、座席板１５以外の座席ユニット１１の構成とテーブル・座席ユニット１の個別の構成については、既に述べたものと同様であるので、ここでの詳細な説明は省略する。
（２）テーブル・座席ユニットの組立体の作用（図３１参照）
本実施形態のテーブル・座席ユニットの組立体Ａ１２にも前述した第１の実施形態のテーブル・座席ユニットの組立体Ａが二組備えられているから、前述した第１の実施形態で述べたものと同様の作用、効果を発揮し得る。更に本実施形態にあっては、趣の違う更に複雑で斬新なレイアウトのテーブル・座席ユニットの組立体Ａ１２を安価に提供することが可能になる。
［他の実施形態］
以上が本発明のテーブル・座席ユニット１及びその組立体Ａの基本的な実施形態であるが、本発明のテーブル・座席ユニット１及びその組立体Ａは、前述した実施形態に限定されるものではなく、本発明の要旨を逸脱しない範囲内での部分的構成の変更や省略、あるいは当業者において、周知、慣用の技術を追加することが可能である。
【００６８】
例えば、図２６に示す第７の実施形態のテーブル・座席ユニットの組立体Ａ７において使用した左右方向Ｘの両端面が傾斜したテーブル板４Ｇと座席板５Ｇを備えるテーブル・座席ユニット１Ｇを、単体で取り出して使用することが可能である。また、当該テーブル板４Ｇと座席板５Ｇが支持脚部材２となす交差角度α（図２６、図２７）は前述した第７の実施形態と第８の実施形態で採用した６７.５度に限らず９０度以外の種々の角度に設定することが可能である。
【００６９】
また、図１に示す第１の実施形態や図２６に示す第７の実施形態において採用した湾曲したテーブル板４及び座席板５の両端面のなす角度θや両端面が交差角度αで傾斜したテーブル板４Ｇ及び座席板５Ｇの両端面のなす角度θもこれらの実施形態の説明の中で述べた４５度に限らず、種々の角度に設定することが可能である。また、前述した第１〜第１２の実施形態では、テーブル板本体２２と座席板本体３２を複数本の板要素２１を、すの子状に組み合わせることによって構成したが、別途、通水口を設けたり、雨水の溜りを防止する溝を設ける等の構成が取られている場合には、単一の板材等によってテーブル板本体２２と座席板本体３２を構成することも可能である。
【００７０】
また、第１の実施形態（図１）中で説明した湾曲したテーブル板４及び座席板５を有するテーブル・座席ユニット１と、第３の実施形態（図２２）中で説明した端面が直角で直線的に延びるテーブル板４Ｃ及び座席板５Ｃを有するテーブル・座席ユニット１Ｃと、第７の実施形態（図２６、２７）中で説明した端面が傾斜して直線的に延びるテーブル板４Ｇ及び座席板５Ｇを有するテーブル・座席ユニット１Ｇと、をすべて組み合わせたり、これらのテーブル・座席ユニット１、１Ｃ、１Ｇに加えて更に第１１及び第１２の実施形態（図３０、３１）中で説明した座席ユニット１１、１１Ｃや前記テーブル・座席ユニット１Ｇからテーブル板４Ｇを取り除いた構成の座席ユニット１１Ｇを組み合わせた構成のテーブル・座席ユニットの組立体Ａとすることも可能である。
【符号の説明】
【００７１】
１    テーブル・座席ユニット
２    支持脚部材
２ａ    底脚部
２ｂ    第１垂直脚部
２ｃ    第２垂直脚部
２ｄ    高位水平支持脚部
２ｅ    低位水平支持脚部
２ｆ    係合部
４    テーブル板
５    座席板
７    係合板部
８    係合凹部
９    係合凸部
１０    取付け穴    
１１    座席ユニット
１２    支持脚部材
１２ａ    底脚部
１２ｂ    第１垂直脚部
１２ｃ    第２垂直脚部
１２ｅ    水平支持脚部
１２ｆ    係合部
１５    座席板
１７    係合板部
１８    係合凹部
１９    係合凸部
２０    取付け穴
２１    板要素
２２    テーブル板本体
２３    端部補強板
２４    中間補強板
２５    ネジ穴
３１    板要素
３２    座席板本体
３３    端部補強板
３４    中間補強板
３５    係合ピン
ｈ    高さ
α    交差角度
Ａ    （テーブル・座席ユニット）の組立体
Ｙ    前後方向
Ｘ    左右方向
Ｅ    延在面
Ｚ    垂直方向
ＧＬ  地面
Ｍ    利用者
Ｔ    隙間
θ    角度
θ１  組合せ角度
【図１】
0006366635.tif 000002
【図２】
0006366635.tif 000003
【図３】
0006366635.tif 000004
【図４】
0006366635.tif 000005
【図５】
0006366635.tif 000006
【図６】
0006366635.tif 000007
【図７】
0006366635.tif 000008
【図８】
0006366635.tif 000009
【図９】
0006366635.tif 000010
【図１０】
0006366635.tif 000011
【図１１】
0006366635.tif 000012
【図１２】
0006366635.tif 000013
【図１３】
0006366635.tif 000014
【図１４】
0006366635.tif 000015
【図１５】
0006366635.tif 000016
【図１６】
0006366635.tif 000017
【図１７】
0006366635.tif 000018
【図１８】
0006366635.tif 000019
【図１９】
0006366635.tif 000020
【図２０】
0006366635.tif 000021
【図２１】
0006366635.tif 000022
【図２２】
0006366635.tif 000023
【図２３】
0006366635.tif 000024
【図２４】
0006366635.tif 000025
【図２５】
0006366635.tif 000026
【図２６】
0006366635.tif 000027
【図２７】
0006366635.tif 000028
【図２８】
0006366635.tif 000029
【図２９】
0006366635.tif 000030
【図３０】
0006366635.tif 000031
【図３１】
0006366635.tif 000032
【図３２】
0006366635.tif 000033
【図３３】
0006366635.tif 000034
【図３４】
0006366635.tif 000035